(57)【特許請求の範囲】
【請求項１】
回転印用の枠体の両側板部間に配設した複数個の回転子と橋架片間にインク浸透性のある無端印字ベルトを懸装するとともに、この無端印字ベルトの裏側より表面の印字部にインクを補給するインク吸蔵材を前記した橋架片に組み込んだ回転印において、インク吸蔵材のインク補給面と無端印字ベルトの裏面との間に介在されて回転時における無端印字ベルトの滑り性を向上させるインク浸透性保護シートを橋架片に設け、さらに、前記インク浸透性保護シートが０.１〜１００デニールの綿糸とポリエステル糸のいずれかまたは双方よりなる織布、または不織布からなるものであることを特徴とする回転印。
【請求項２】
インク吸蔵材が、橋架片の下面から前後面にわたり断面Ｕ形に添着されている請求項１に記載の回転印。
【請求項３】
インク吸蔵材が、橋架片の下面から前後面にわたり断面Ｕ形に添着される吸蔵体本体と、橋架片の上部に前記吸蔵体本体の上部に一部を接触させて設けたインク吸蔵量が吸蔵体本体より大きい断面逆Ｕ形の補助インク吸蔵体とよりなる請求項１に記載の回転印。
【請求項４】
インク浸透性保護シートが、無端印字ベルトの裏基布と同材よりなるものである請求項１〜３のいずれかに記載の回転印。
【発明の詳細な説明】
【技術分野】
【０００１】
本発明は、浸透性の無端印字ベルトを使用した回転印に関するものである。
【背景技術】
【０００２】
回転印用の枠体の両側板部間に配設した複数個の回転子と橋架片間にインク浸透性のある無端印字ベルトを懸装した回転印においては、無端印字ベルトの表面の印字部へのインク補給を無端印字ベルトの裏側に設けたインク吸蔵材のインク吸蔵体により行うのを普通としている（特許文献１参照）。ところが、前記のインク吸蔵体は連続気孔を有する多孔性のゴムやポリウレタン、ポリエチレンなどの多孔性合成樹脂、フェルトなどの摩擦抵抗が大きくて滑り性が悪い多孔性物質が使用されているためにこれと接触する無端印字ベルトの内周面との間に抵抗が強く、無端印字ベルトを所望の印字面に変更するために無端印字ベルトを懸架している回転子を回す際にこの回転子がスリップするという問題がある。
【０００３】
また、このスリップの防止は無端印字ベルトにかかるテンションを高くして回転子との間の抵抗を高くすることにより行うことができるが、回転子との間の抵抗を高くすると無端印字ベルトが破断する虞がある。
【特許文献１】実開平２−２９７５７号公報
【発明の開示】
【発明が解決しようとする課題】
【０００４】
本発明は前記のような問題点を解決して、回転操作時における無端印字ベルトの滑り性をよくして回転子を回す際に回転子がスリップすることをなくし、軽い回転操作で無端印字ベルトの所望の印字面を橋架片の位置まで変更することが容易な回転印を提供することを目的として完成されたものである。
【課題を解決するための手段】
【０００５】
前記のような課題を解決した本発明の回転印は、回転印用の枠体の両側板部間に配設した複数個の回転子と橋架片間にインク浸透性のある無端印字ベルトを懸装するとともに、この無端印字ベルトの裏側より表面の印字部にインクを補給するインク吸蔵材を前記した橋架片に組み込んだ回転印において、前記インク吸蔵材のインク補給面と無端印字ベルトの裏面との間に介在されて回転時における無端印字ベルトの滑り性を向上させるインク浸透性保護シートを橋架片に設け、さらに、前記インク浸透性保護シートが０.１〜１００デニールの綿糸とポリエステル糸のいずれかまたは双方よりなる織布、または不織布からなるものであることを特徴とするものを基本の発明とする。
【０００６】
なお、前記した発明においては、インク吸蔵材を橋架片の下面から前後面にわたり断面Ｕ形に添着されるインク吸蔵マットとしたり、このインク吸蔵マットへのインク補給を行うために、さらに橋架片の上部にインク吸蔵マットの上部に一部を接触させてインク吸蔵量がインク吸蔵マットより大きい断面逆Ｕ形の補助インク吸蔵体を設けたものとすることができる。また、前記した各発明におけるインク浸透性保護シートとしては、無端印字ベルトの裏基布と同材よりなるものとすることができる。
【発明の効果】
【０００７】
前記した本発明は、無端印字ベルトの裏側より表面の印字部にインクを補給するインク吸蔵材のインク補給面と無端印字ベルトの裏面との間に介在するようにインク吸蔵材にはインク浸透性保護シートを一体に設けて回転時における無端印字ベルトの滑り性を向上させてあるから、無端印字ベルトの所望の印字面を橋架片の下面に変更するために回転子を回すときに、インク吸蔵体が連続気孔を有する多孔性のゴムやポリウレタン、ポリエチレンなどの多孔性合成樹脂、フェルトなどの摩擦抵抗が大きくて滑り性が悪い多孔性物質よりなるものであっても、無端印字ベルトの裏面が直接インク吸蔵体と接することなく、これよりも滑り性がよくて磨滅のおそれも少ないインク浸透性保護シートを介することとなり、したがって、無端印字ベルトがインク吸蔵体との接触によって回転駆動力が損なわれることがなくなって回転子と無端印字ベルトの間にスリップが生じることなく無端印字ベルトを的確に送ることができるものである。
【０００８】
また、インク吸蔵材を、橋架片を橋架片の下面から前後面にわたり断面Ｕ形に添着されるものとしておけば、このインク吸蔵マットが橋架片の角部も覆うこととなって滑り性を一層向上させることができ、また、インク吸蔵材を、前記した橋架片の下面から前後面にわたり断面Ｕ形に添着される吸蔵体本体と、橋架片の上部に前記インク吸蔵マットの上部に一部を接触させて設けたインク吸蔵量が前記吸蔵体本体より大きくなるように厚手とした断面逆Ｕ形の補助インク吸蔵体とよりなるものとしておけば、大量のインクを吸蔵してインク吸蔵マットに常時補充することができるので一層好ましいものとなる。さらに、インク浸透性保護シートを、無端印字ベルトの裏基布と同材よりなるものとしておけば、無端印字ベルトがインク吸蔵材に摺動したときに一方が磨滅することが少なくなる。また、このインク浸透性保護シートとしては、０.１〜１００デニールの綿糸とポリエステル糸のいずれかまたは双方よりなる織布、または不織布からなるものが、滑り性およびインク浸透性、強度、経済性の各面から特に好ましい。
【発明を実施するための最良の形態】
【０００９】
次に、本発明の好ましい実施の形態を図面に基づき説明する。
１は左右の側板部１１、１１の上端間を上板部１２で連結したＵ字状の回転印用の枠体であり、この枠体１の両側板部１１、１１の間には複数個の回転子２がそれぞれ各別に回転できるように配設されている。すなわち、両側板部１１、１１に設けた軸受部１１ａ、１１ａに両端を軸支した横軸３に回転子２の中央に設けた軸孔２１を軸支させている。前記各回転子２はベルト懸架用の胴部２ａと回転操作用の回転円盤２ｂからなるものとしている。
【００１０】
また、両側板部１１、１１の下端には橋架片４が架設されていてこの橋架片４と前記各回転子２との間にインク浸透性のある無端印字ベルト５が懸架されている。なお、図示する橋架片４は、図示の回転印がマスター印用回転印であるため、本出願人が先に提案して公開されている特開平９ー１５６１９１号公報に記載されているものと同様、金属板材を縦長折り曲げたＵ字状金具であって、その上端両側に形成してある係止爪部を枠体１の両側板部１１、１１の下端に設けた切欠に係合させることにより架設したもので、以上の構成は従来のこの種の回転印と変わることがない。
【００１１】
また、前記した橋架片４には、図３に示すように、無端印字ベルト５の裏側より表面の印字部にインクを補給するインク吸蔵材６を組み込んである。実施例におけるインク吸蔵材６は、前記した橋架片４としてのＵ字状金具の外面に添って多孔性のゴムや多孔性合成樹脂、フェルトなどの摩擦抵抗が大きくて滑り性が悪い多孔性物質よりなる厚さが０．３〜１ｍｍ程度のテープ状をした肉薄の吸蔵材本体６ｂをＵ字状に曲げて添着するとともに、このＵ字状金具の上部外面に添って前記した吸蔵材本体６ｂと同材よりなる厚さが１〜３ｍｍ程度のテープ状をした厚手の補助インク吸蔵体６ａを逆Ｕ字状に曲げてその一部が前記吸蔵材本体６ｂの上部に接触させて添着一体化したものである。
【００１２】
そして、このインク吸蔵材６の前記した吸蔵材本体６ｂのうち、少なくとも無端印字ベルト５の裏面へのインク補給面なる部分を覆って橋架片４には、吸蔵材本体６ｂの外面に添って０.１〜１００デニールの綿糸とポリエステル糸のいずれかまたは双方よりなる織布、または不織布からなる厚さが１〜３ｍｍ程度のテープ状をしたインク浸透性保護シート７を添着一体化してある。
【００１３】
なお、前記インク吸蔵材６は、そのインク補給面と無端印字ベルト５の裏面との間に介在されて回転時における無端印字ベルト５の滑り性を向上させるインク浸透性保護シート７を橋架片４に一体に設けたものであれば前記したようなものに限定されることはなく、例えば、図４に示すように、橋架片４の下面に設けた凹部４１に多孔性のゴムや多孔性合成樹脂、フェルトなどの摩擦抵抗が大きくて滑り性が悪い多孔性物質よりなるブロック状の吸蔵材本体を嵌め込んでその表面を覆って端縁を橋架片４に添着したものであってもよい。
【００１４】
このように構成された日付印、数字印、記号印等の回転印は、回転子２を回して橋架片４の下面にある無端印字ベルト５の印字面５ａを適宜変更し、インク吸蔵材６から無端印字ベルトの裏側より表面の印字部にインクの補充をして所望の日付、数字、記号等を捺印するものであることは従来の回転印と同様である。
【００１５】
しかしながら、本発明の特徴とするところは、インク吸蔵材６にそのインク補給面と無端印字ベルト５の裏面との間に介在されて回転時における無端印字ベルト５の滑り性を向上させるインク浸透性保護シート７を一体に設けたものであって、橋架片４の下面に無端印字ベルト５の所望の印字面５ａに変更するために回転子２を回したとき、インク吸蔵材６が多孔性のゴムや多孔性合成樹脂、フェルトなどの摩擦抵抗が大きくて滑り性が悪い多孔性物質よりなるものであっても、インク浸透性保護シート７により滑り性が確保されるので、無端印字ベルト５との抵抗が回転子２と無端印字ベルト５の間の抵抗より小さくなって回転子２と無端印字ベルト５の間がスリップすることなく無端印字ベルト５を円滑に送ることができるものである。
【００１６】
また、インク吸蔵体６を図１〜図３に示すように橋架片４の下面及び前後面をＵ字状に覆うように薄板状に形成したものとすると、橋架片４のエッジ部にもインク浸透性保護シート７が位置するので、より無端印字ベルト５の裏面と橋架片４に設けた吸蔵体本体６ｂとの間の滑り性が優れたものとなる。また、インク吸蔵材６を、橋架片４の下面から前後面にわたり断面Ｕ形に添着される吸蔵体本体６ａと、橋架片４の上部に前記吸蔵体本体６ａの上部に一部を接触させて添着したインク吸蔵力が吸蔵体本体６ａより大きい断面逆Ｕ形の補助インク吸蔵体６ａとよりなるものとすれば、インクの貯留量が少ない薄板状の吸蔵体本体６ｂに補助インク吸蔵体６ａからインクが補給されるので、長時間に亘る連続捺印ができるものである。また、補助インク吸蔵体６ａは吸蔵体本体６ｂより厚手のものであるから、その側面からインクを補充することもできるものとなる。
【００１７】
さらに、前記したインク浸透性保護シート７を無端印字ベルト５の裏基布と同材よりなるものとすれば両者の磨滅が少なくなり、また、インク浸透性保護シートを、０.１〜１００デニールの綿糸とポリエステル糸のいずれかまたは双方よりなる織布、または不織布からなるものとすれば、充分な滑り性が確保できるうえインク透過性にも優れていて無端印字ベルト５へのインクの補充も的確に行うことができるものである。
【図面の簡単な説明】
【００１８】
【図１】本発明の実施形態を示す一部切欠正面図。
【図２】本発明の実施形態を示す一部切欠側面図。
【図３】本発明の実施形態の要部を分解して示す斜視図。
【図４】本発明の実施形態の他例を示す一部切欠側面図。
【符号の説明】
【００１９】
１  枠体
11  側板部
２  回転子
４  橋架片
５  無端印字ベルト
６  インク吸蔵材
6a  補助インク吸蔵体
6b  吸蔵体本体
７  インク浸透性保護シート
【図１】
0004812486.tif 000002
【図２】
0004812486.tif 000003
【図３】
0004812486.tif 000004
【図４】
0004812486.tif 000005